(57)【要約】【課題】本発明は、電子設備を支持する支持装置を提供することを目的とする。【解決手段】本発明に係る電子設備支持装置は、収容部と、収容部に固定される連接部品と、ピンと、ピンを通じて連接部品に回転可能に装着される支持片と、を備える。収容部は、電子設備に装着され、支持片の上端からは突出部が延出し、収容部には開口が設けられ、開口の上端には当止部が突出し、当止部の末端からは弾性板が当止部に対して垂直に下方に延在し、弾性板の収容部に面する側の底端には係合部が突設され、突出部は係合部の上面に当接され、支持片の底端が収容部と離れるように支持片を回転させると、突出部は係合部を押圧し弾性板を弾性変形させ、支持片は最大まで回転されて、当止部と並行し、且つ支持片が当止部に当接されると、支持片は電子設備を支持する。【選択図】図７
2014123732.tif 000002
【特許請求の範囲】
【請求項１】
収容部と、
前記収容部に固定される連接部品と、
ピンと、
前記ピンを通じて前記連接部品に回転可能に装着される支持片と、
を備えて電子設備を支持する支持装置であって、
前記収容部は、前記電子設備に装着され、前記支持片の上端からは突出部が延出し、前記収容部には開口が設けられ、前記開口の上端には当止部が突出し、前記当止部の末端からは弾性板が前記当止部に対して垂直に下方に延在し、前記弾性板の前記収容部に面する側の底端には係合部が突設され、前記突出部は前記係合部の上面に当接され、前記支持片の底端が前記収容部と離れるように前記支持片を回転させると、前記突出部は前記係合部を押圧し前記弾性板を弾性変形させ、前記支持片は最大まで回転されて、前記当止部と並行し、且つ前記支持片が前記当止部に当接されると、前記支持片は電子設備を支持することを特徴とする支持装置。
【請求項２】
前記収容部は前記電子設備の後部を収容する又は前記電子設備の後カバーであることを特徴とする請求項１に記載の支持装置。
【請求項３】
前記収容部の後側には凹部が設けられ、前記支持片は前記凹部に収容されることを特徴とする請求項１又は２に記載の支持装置。
【請求項４】
前記支持片が最大まで回転されると、前記突出部は前記収容部と平行となることを特徴とする請求項１から３の何れか一項に記載の支持装置。
【請求項５】
前記突出部には、貫通孔が設けられ、前記連接部品は互いに平行な２つの板体と前記２つの板体を連接する連接板とを備え、前記板体には装着孔がそれぞれ設けられ、前記ピンは前記突出部の前記貫通孔を貫通し、前記ピンの両端は前記装着孔をそれぞれ回転可能に貫通することを特徴とする請求項１から４の何れか一項に記載の支持装置。
【請求項６】
前記板体及び前記連接板からは係合孔が設けられた突起部がそれぞれ延出し、三つのネジは前記係合孔を貫通して前記収容部に係合されることを特徴とする請求項５に記載の支持装置。
【発明の詳細な説明】
【技術分野】
【０００１】
本発明は、電子設備の支持装置に関するものである。
【背景技術】
【０００２】
従来の技術において、携帯電話や電子アルバムなどの電子設備は、支持構造を備えていないため、ユーザは自身の手によって携帯電話などを持って使用する。この場合、長時間電子設備を持つと手が疲れやすく、さらにそのまま使用し続けると、腕、首までも痛くなることがある。
【発明の概要】
【発明が解決しようとする課題】
【０００３】
本発明の目的は、前記問題を解決し、電子設備を支持する支持装置を提供することである。
【課題を解決するための手段】
【０００４】
上記目的を達成するために、本発明に係る電子設備支持装置は、収容部と、収容部に固定される連接部品と、ピンと、前記ピンを通じて前記連接部品に回転可能に装着される支持片と、を備える。前記収容部は、前記電子設備に装着され、前記支持片の上端からは突出部が延出し、前記収容部には開口が設けられ、前記開口の上端には当止部が突出し、前記当止部の末端からは弾性板が前記当止部に対して垂直に下方に延在し、前記弾性板の収容部に面する側の底端には係合部が突設され、前記突出部は前記係合部の上面に当接され、前記支持片の底端が前記収容部と離れるように前記支持片を回転させると、前記突出部は前記係合部を押圧し前記弾性板を弾性変形させ、前記支持片は最大まで回転されて、前記当止部と並行し、且つ支持片が前記当止部に当接されると、前記支持片は電子設備を支持する。
【発明の効果】
【０００５】
本発明に係る電子設備支持装置は、支持片を電子設備と離れるように最大まで回転させることによって、電子設備を支持できるので、手によって持つ必要がなく疲れにくい。
【図面の簡単な説明】
【０００６】
【図１】本発明の実施形態に係る電子設備支持装置の組立斜視図である。
【図２】図１に示す電子設備支持装置の一部の分解斜視図である。
【図３】図１に示す電子設備支持装置の別方向から見る分解斜視図である。
【図４】図３に示す電子設備支持装置のＩＶ部分の拡大図である。
【図５】図３に示す電子設備支持装置の連接部品の拡大図である。
【図６】図１に示す電子設備支持装置のＶＩ−ＶＩ線に沿った断面図である。
【図７】図６に示す電子設備支持装置の使用状態を示す図であり、支持片が回転している状態を示す図である。
【図８】図３に示す電子設備支持装置の使用状態を示す図であり、支持片が最大まで回転している状態を示す図である。
【発明を実施するための形態】
【０００７】
図１〜図６に示したように、本発明の実施形態に係る支持装置１は、電子設備２の後部を収容する保護ケース又は電子設備２の後カバーであり、且つ電子設備２を支持できる。支持装置１は、収容部１０と、支持片２０と、ピン１３と、連接部品１５と、を備える。支持装置１が電子設備２の保護ケースである場合、収容部１０は、プラスチックスなどの柔軟性を有する材料から製造され、電子設備２の後部を収容する。
【０００８】
収容部１０は、電子設備２の後カバーに対応して製造され、その後側には凹部１１が設けられている。収容部１０の前側には、三つの取付穴１４１が設けられている。支持片２０の上端には、貫通孔２２が設けられた突出部２１が突設されている。ピン１３は、突出部２１の貫通孔２２を貫通し、ピン１３の両端は、突出部２１の両端から突出する。本実施形態において、支持片２０の厚さは、凹部１１の深さに等しい。
【０００９】
連接部品１５は剛性材料によって一体形状に製造され、互いに平行に位置する２つの板体１５１及び該２つの板体１５１の上端を連接する連接板１５３を備える。板体１５１には、装着孔１５２がそれぞれ設けられている。２つの板体１５１及び連接板１５３からは、係合孔１５５が設けられた突起部１５４が外部に向けてそれぞれ延出している。三つのネジ１４はこの係合孔１５５を貫通して取付穴１４１にそれぞれ係合される。これによって、連接部品１５は、収容部１０の前側に固定される。支持片２０は、凹部１１に収容される。この際、ピン１３の両端は、装着孔１５２にそれぞれ挿入される。これにより、支持片２０は収容部１０に回転可能に装着される。
【００１０】
凹部１１の底面の上端には、開口１２が設けられている。収容部１０の前側において、開口１２の上端からは当止部１８が延出している。さらに、当止部１８の上面には、収容部１０の前側に連接された延伸部１９が延在している。当止部１８の末端（収容部１０と離れる端）からは、弾性板１７が当止部１８に対して垂直に、且つ下方に延伸している。弾性板１７は、収容部１０に対して弾性変形できる。弾性板１７の底端には、収容部１０に向けて、係合部１６が突設されている。
【００１１】
支持片２０の突出部２１は、開口１２を貫通して係合部１６の上面に当接される。
【００１２】
図７及び図８を参照すると、支持片２０によって電子設備２を支持する場合、支持片２０の底端が収容部１０と離れるように支持片２０を回転させると、突出部２１は係合部１６を押圧して弾性板１７を弾性変形させる。支持片２０を最大まで回転させると、支持片２０は当止部１８に当接し、且つ当止部１８と並行して位置する。従って、支持片２０は更に回転することはなく、電子設備２を斜めに支持する。また、この時、収容部１０及び支持片２０の突出部２１は平行である。
【００１３】
支持片２０を凹部１１に収容させる場合、支持片２０を凹部１１に向けて回転させると、突出部２１は開口１２に向けて移動し、弾性板１７は弾性復帰する。支持片２０が完全に凹部１１に収容されると、突出部２１は再び係合部１６の上面に当接される。
【符号の説明】
【００１４】
１  支持装置
１０  収容部
１１  凹部
１２  開口
１３  ピン
１４  ネジ
１５  連接部品
１４１  取付穴
１５１  板体
１５２  装着孔
１５３  連接板
１５４  突起部
１５５  係合孔
１６  係合部
１７  弾性板
１８  当止部
１９  延伸部
２  電子設備
２０  支持片
２１  突出部
２２  貫通孔
【図１】
2014123732.tif 000003
【図２】
2014123732.tif 000004
【図３】
2014123732.tif 000005
【図４】
2014123732.tif 000006
【図５】
2014123732.tif 000007
【図６】
2014123732.tif 000008
【図７】
2014123732.tif 000009
【図８】
2014123732.tif 000010